(57)【要約】      （修正有）【課題】キャップ付きインクペンを提供する。【解決手段】このキャップ付きインクペンは、内穴に、一端に設けられたペン先の書き部と接したインク含有ペン芯が収納される中空本体１００と、中空本体１００の他端に嵌合される中空栓部２００と、対向する端部にそれぞれ開口部３２０及び閉鎖部３３０が形成されるキャップ壁３１０を有し、閉鎖部３３０に開口部３２０の方向に向けて突き出る、中空栓部２００の内部に嵌められる漏れ防止バー３４０が設けられ、且つキャップ壁３１０が同時に中空栓部の端部の外壁に嵌合されるキャップと、を含む。キャップを中心軸方向で中空本体１００端部の中空栓部２００に取り出し又はカバーすることによって、インクの補充時の操作プロセスが簡素化される。キャップに複数の通気孔が設けられるので、使用者が不注意でキャップを喉に飲み込んだ場合の使用者の窒息のような事故が避けられる。【選択図】図４
0003191921.tif 000002
【実用新案登録請求の範囲】
【請求項１】
ペン先の書き部と接したインク含有ペン芯が収納される内穴を有し、また対向する第１端部と第２端部を有し、前記第１端部にペン先の書き部が設けられる中空本体と、
対向する第１端部と第２端部を有し、前記第１端部が前記中空本体の第２端部の内壁に嵌合され、前記第２端部が前記中空本体の第２端部から突き出る中空栓部と、
対向する端部にそれぞれ開口部及び閉鎖部が形成されるキャップ壁を有し、前記閉鎖部に前記開口部の方向に向けて突き出る、前記中空栓部の第２端部の内部に嵌められるように前記キャップ壁の内周に位置する漏れ防止バーが設けられ、且つ前記キャップ壁が同時に前記中空栓部の第２端部の外壁に嵌合されるキャップと、
を含むキャップ付きインクペン。
【請求項２】
前記中空本体の第２端部の内壁と前記中空栓部の第１端部の外壁に第１係合構造が設けられて、前記中空本体と前記中空栓部を互いに係合させる請求項１に記載のキャップ付きインクペン。
【請求項３】
前記中空栓部の第２端部の外壁と前記キャップのキャップ壁の内壁に第２係合構造が設けられて、前記中空栓部と前記キャップを互いに係合させる請求項２に記載のキャップ付きインクペン。
【請求項４】
前記第１係合構造は、前記中空本体の第２端部の内壁に少なくとも１つの第１凸環を設け、前記中空栓部の第１端部の外壁に前記第１凸環と対応する少なくとも１つの第２凸環を設けるように構成される請求項２に記載のキャップ付きインクペン。
【請求項５】
前記第２係合構造は、前記中空栓部の第２端部の外壁に第１係合素子を設け、前記キャップ壁の内壁に前記第１係合素子と対応する第２係合素子を設けるように構成される請求項３に記載のキャップ付きインクペン。
【請求項６】
前記第１係合素子は、止め輪であり、前記第２係合素子は前記第１係合素子と対応する複数の止め凸部である請求項５に記載のキャップ付きインクペン。
【請求項７】
前記第２係合素子は、止め輪であり、前記第１係合素子は、前記第２係合素子と対応する複数の止め凸部である請求項５に記載のキャップ付きインクペン。
【請求項８】
前記キャップの閉鎖部の外周に複数の通気孔が設けられる請求項１又は請求項３に記載のキャップ付きインクペン。
【考案の詳細な説明】
【技術分野】
【０００１】
本考案は、インクペンに関し、特に、キャップ付きインクペンに関する。
【背景技術】
【０００２】
インクペンは、本体ユニットの内部にインク含有ペン芯が収納され、本体ユニットの一端部に、インク含有ペン芯のインクがペン先の書き部に供給されて書くことを可能にするようにインク含有ペン芯と接したペン先の書き部が装設されている。インク含有ペン芯のインクは、固定の容量であってよく、補充可能に設計されてもよい。
【０００３】
図１は、ネジ式インクペンである従来の補充可能なインクペンを示す。前記従来のネジ式インクペンは、本体ユニット４００とネジスリーブ５００を含む。本体ユニット４００は、内部にインク含有ペン芯４１０が収納され、一端部にインク含有ペン芯４１０と接したペン先の書き部４２０が装設され、別の端部の内穴４３０に内ネジ山４４０が設けられる。ネジスリーブ５００の凸体５１０の外周に、本体ユニット４００の内ネジ山４４０に螺合されてインク含有ペン芯４１０のインクが漏れないようにする対応の外ネジ山５２０が設けられている。
【０００４】
インク含有ペン芯４１０は、ペン先の書き部４２０に必要なインクを供給することができる。インクが使い果たされた場合、ネジスリーブ５００を本体ユニット４００から取り外して、本体ユニット４００の内穴４３０を露出させ、インクを補充してから、またネジスリーブ５００を本体ユニット４００にねじ込んでよい。
【考案の概要】
【考案が解決しようとする課題】
【０００５】
しかしながら、従来のネジ式インクペンには、使用上、以下の欠点がある。（一）インクを補充する場合、そのネジスリーブ５００を本体ユニット４００から取り外し、また本体ユニット４００にねじ込む時の複数回の回り操作は、非常に面倒で不便である。（二）ネジスリーブ５００が中実であるため、例えば子供のような使用者が好奇心でネジスリーブ５００を取り出して口に入れる場合があり、不注意で喉に飲み込むと、通気孔無しの前記中実であるネジスリーブ５００は、使用者の呼吸を詰め、窒息の危険性もある。従って、従来のネジ式インクペンでは、確かに改善する必要がある。
【課題を解決するための手段】
【０００６】
従って、本考案の一目的は、インクの補充時の操作を簡素化可能なキャップ付きインクペンを提供することにある。
【０００７】
本考案の別の目的は、不注意で喉に飲み込まれた場合の窒息の事故を避けることができるキャップ付きインクペンを提供することにある。
【０００８】
上記の目的によれば、本考案の一態様は、ペン先の書き部と接したインク含有ペン芯が収納される内穴を有し、また対向する第１端部と第２端部を有し、前記第１端部にペン先の書き部が設けられる中空本体と、対向する第１端部と第２端部を有し、前記第１端部が中空本体の第２端部の内壁に嵌合され、前記第２端部が中空本体の第２端部から突き出る中空栓部と、対向する端部にそれぞれ開口部及び閉鎖部が形成されるキャップ壁を有し、上記閉鎖部に、開口部の方向に向けて突き出る、中空栓部の第２端部の内部に嵌められるようにキャップ壁の内周に位置する漏れ防止バーが設けられ、且つキャップ壁が同時に中空栓部の第２端部の外壁に嵌合されるキャップと、を含むキャップ付きインクペンを提供する。キャップをその中心軸方向（中心軸に平行な方向）における単一の「抜く」、「嵌める」という動作で、中空本体の第２端部の中空栓部に取り出し又はカバーすることで、インクの補充時の操作プロセスが簡素化される。
【０００９】
本考案の一実施例によれば、中空本体の第２端部の内壁と中空栓部の第１端部の外壁に第１係合構造が設けられて、中空本体と中空栓部を互いに係合させる。
【００１０】
本考案の一実施例によれば、中空栓部の第２端部の外壁とキャップのキャップ壁の内壁に第２係合構造が設けられて、キャップを中空栓部に確実に嵌合させる。
【００１１】
本考案の一実施例によれば、第１係合構造は、中空本体の第２端部の内壁に少なくとも１つの第１凸環を設け、中空栓部の第１端部の外壁に第１凸環と対応する少なくとも１つの第２凸環を設けるように構成されて、第１凸環と第２凸環を互いに係合させる。
【００１２】
本考案の一実施例によれば、第２係合構造は、中空栓部の第２端部の外壁に第１係合素子を設け、キャップ壁の内壁にこの第１係合素子と対応する第２係合素子を設けるように構成されて、第１係合素子と第２係合素子を互いに係合させる。
【００１３】
本考案の一実施例によれば、キャップの閉鎖部の外周に複数の通気孔が設けられており、使用者が不注意でキャップを喉に飲み込んだ場合、キャップは、依然としてその通気孔で風通しパイプを提供して、使用者の窒息のような事故を避けることができる。
【図面の簡単な説明】
【００１４】
下記図面の説明は、本考案の前記または別の目的、特徴、メリット、実施例をより分かりやすくするためのものである。
【図１】従来のネジ式インクペンを示す断面模式図である。
【図２】本考案の一実施形態によるキャップ付きインクペンを示す分解図である。
【図３】図２に示したキャップ付きインクペンを示す組立斜視図である。
【図４】図３に示したキャップ付きインクペンを示す断面模式図である。
【図５】図２に示したキャップ付きインクペンのキャップを口に飲み込んだ時に依然として空気が通じる状態を示す。
【考案を実施するための形態】
【００１５】
本考案の前記及びその他の技術内容、特徴及び効果については、以下、図面に併せた実施例の詳細な説明で、明確に表示される。
【００１６】
図２〜図４を参照されたい。図２〜図４は、本考案の一実施形態によるキャップ付きインクペンを示す分解図、組立図及び断面図である。
【００１７】
図に示すように、本考案の一実施形態によるキャップ付きインクペンは、中空本体１００と、前記中空本体端部に嵌合される中空栓部２００と、前記中空栓部の一端部に嵌合されるキャップ３００と、を含む。
【００１８】
中空本体１００は、内穴１１０を有し、対向する第１端部１２０と第２端部１３０を有する。第１端部１２０に、例えば繊維製又は毛製のペン先の書き部１４０が設けられる。内穴１１０に、例えばポリエステル綿製のインク含有ペン芯１５０が収納され、且つインク含有ペン芯１５０がペン先の書き部１４０と接するため、ペン先の書き部１４０で書く時に必要なインクを提供することができる。
【００１９】
中空栓部２００は、対向する第１端部２１０と第２端部２２０を有する。中空栓部２００は、第１端部２１０が中空本体１００の第２端部１３０の内壁に嵌合され、第２端部２２０が中空本体１００の第２端部１３０から外へ突き出る。中空栓部２００と中空本体１００との間の嵌合を確実に維持するために、中空本体１００の第２端部１３０の内壁と中空栓部２００の第１端部２１０の外壁に第１係合構造Ａが設けられる。実施上、前記第１係合構造Ａは、中空本体１００の第２端部１３０の内壁に２つの第１凸環１３１が設けられ、中空栓部２００の第１端部２１０の外壁に第１凸環と対応する２つの第２凸環２１１が設けられるものである。２つの凸環１３１、２１１は、互いに嵌合し、良好な気密性を保って、インク含有ペン芯１５０のインクが揮発しないようにする。
【００２０】
キャップ３００は、対向する端部にそれぞれ開口部３２０及び閉鎖部３３０が形成されるキャップ壁３１０を有し、閉鎖部３３０に開口部３２０の方向に向けて突き出る、キャップ壁３１０の内周に位置する漏れ防止バー３４０が設けられる。
【００２１】
キャップ３００を中空栓部２００と組み合わせる場合、キャップ３００の開口部３２０を中空栓部２００の第２端部２２０に向けて、キャップ３００の漏れ防止バー３４０を中空栓部２００の第２端部２２０の内部に嵌めるため、インク含有ペン芯１５０のインクの逆流の溢れが止められ、その密閉性が優れている。
【００２２】
漏れ防止バー３４０が中空栓部２００内部に嵌められる同時に、キャップ３２０のキャップ壁３１０も中空栓部２００の第２端部２２０の外壁に嵌合される。キャップ３００と中空栓部２００との間の嵌合を確実に維持するため、キャップ壁３１０と中空栓部２００の第２端部２２０の外壁に第２係合構造Ｂが設けられる。実施上、前記第２係合構造Ｂは、中空栓部２００の第２端部２２０の外壁に第１係合素子２２１、例えば止め輪が設けられ、キャップ壁３１０の内壁にこの第１係合素子２２１と対応する第２係合素子３１１、例えば複数の止め凸部が設けられ、第１係合素子２２１と第２係合素子３１１を互いに係合させる。当然、止め輪及び止め凸部の位置を入れ替えて設置してもよい。
【００２３】
本考案の一実施形態によるキャップ付きインクペンは、インク含有ペン芯１５０がペン先の書き部１４０に必要なインクを提供することができる。インクが使い果たされた場合、キャップ３００を中心軸方向で直接に中空本体１００の端部の中空栓部２００から抜いて、中空本体１００の内穴１１０を露出させ、インクを補充してから、キャップ３００を中心軸方向で直接に中空本体１００に嵌合すればよい。そして、第２係合構造Ｂによって、キャップ３００と中空栓部２００との間の嵌合を確実に保つ。上記のキャップ３００のインクを補充する時の取り出し及び嵌合は、中心軸方向における「抜く」、「嵌める」の単一な操作プロセスであればよいが、従来のネジ式インクペンを繰り返して回すような複雑な操作プロセスが省略されるため、インクの補充時の操作プロセスが簡素化される。
【００２４】
また、本考案の一実施形態によるキャップ付きインクペンは、キャップ３００の閉鎖部３３０の外周に複数の通気孔３３１が設けられる。例えば子供のような使用者が好奇心でキャップ３００を取り出して口に入れ、不注意で喉に飲み込む場合、キャップ３００は、依然としてその通気孔３３１で風通しパイプを提供し（図５に示すように）、使用者の窒息のような事故を避けることができる。
【００２５】
以上をまとめていうと、本考案の一実施形態によるキャップ付きインクペンは、インクの補充時の操作を簡素化し、不注意でキャップを喉に飲み込んだ場合の窒息による危険を避けることができるため、その応用性及び安全性は優れている。
【００２６】
本考案を実施形態で前述の通り開示したが、これは本考案を限定するものではなく、当業者であれば、本考案の精神と範囲から逸脱しない限り、多様の変更や修正を加えることができる。従って、本考案の保護範囲は、下記の実用新案登録請求の範囲で指定した内容を基準とする。
【符号の説明】
【００２７】
１００  中空本体
１１０  内穴
１２０  第１端部
１３０  第２端部
１３１  第１凸環
１４０  ペン先の書き部
１５０  インク含有ペン芯
２００  中空栓部
２１０  第１端部
２１１  第２凸環
２２０  第２端部
２２１  第１係合素子
３００  キャップ
３１０  キャップ壁
３１１  第２係合素子
３２０  開口部
３３０  閉鎖部
３３１  通気孔
３４０  漏れ防止バー
Ａ  第１係合構造
Ｂ  第２係合構造
【図１】
0003191921.tif 000003
【図２】
0003191921.tif 000004
【図３】
0003191921.tif 000005
【図４】
0003191921.tif 000006
【図５】
0003191921.tif 000007